(57)【要約】【課題】拭き取り部材の拭き取り能力を向上させると共に、拭き取り部材と軸部との取り付け強度を高め、検査精度の向上を図る。【解決手段】希釈液を収容する容器本体１１の上部開口部に着脱可能に装着されるキャップ２１に取り付けた軸部３１の下端部に、一対の脚部３４ａ，３４ａを備えたＵ字状のクリップ部３４を設ける。脚部３４ａの対向面に、凸部と切込部とを連続して設けた鋸歯状の保持段部３４ｂを形成し、クリップ部３４に拭き取り部材４１を取り付ける。拭き取り部材４１は、吸水力に優れたシート状のスポンジクロスを観音折りにして形成し、観音折りにすることにより形成された２つの輪４４の内部に、クリップ部３４の脚部３４ａをそれぞれ挿入し、重ね合わされた拭き取り部材の両側片４１ａに保持段部３４ｂをそれぞれ係合させて、クリップ部３４に拭き取り部材４１を取り付ける。【選択図】図１
2011214960.tif 000002
【特許請求の範囲】
【請求項１】
希釈液を収容する容器本体と、該容器本体の上部開口部に着脱可能に装着されるキャップと、該キャップの天井部内面に連設した軸部と、該軸部の先端に取り付けられる拭き取り部材とを備えた拭き取り検査キットにおいて、前記軸部は、下端部に、前記拭き取り部材を保持する一対の脚部を備えたＵ字状のクリップ部が設けられ、前記脚部の対向面には、凸部と切込部とを連続して設けた鋸歯状の保持段部が対向してそれぞれ形成されると共に、前記拭き取り部材は、吸水力を備えたシート状のスポンジクロスを観音折りにして形成され、前記拭き取り部材の観音折りにすることにより形成された２つの輪の内部に前記一対の脚部をそれぞれ挿入し、重ね合わされた前記拭き取り部材の重合片に前記保持段部をそれぞれ係合させて、前記クリップ部に拭き取り部材を取り付けたことを特徴とする拭き取り検査キット。
【請求項２】
前記スポンジクロスは、セルロースとコットンとを混合して形成することを特徴とする請求項１記載の拭き取り検査キット。
【請求項３】
前記一対の脚部にそれぞれ対向して形成される一対の保持段部は、前記凸部の位置が、上下方向に異なるように形成されると共に、各保持段部の中央部に軸方向のリブが形成されることを特徴とする請求項１又は２記載の拭き取り検査キット。
【請求項４】
前記拭き取り部材は、観音折りされる谷折り部に折込み用筋目が形成されると共に、前記リブが係合する係合溝が形成されることを特徴とする請求項３記載の拭き取り検査キット。
【発明の詳細な説明】
【技術分野】
【０００１】
本発明は、食品の製造現場や医療現場等で細菌検査をする際に用いられる拭き取り検査キットに係り、詳しくは拭き取り部材を吸水性に優れたスポンジクロスで形成した拭き取り検査キットに関する。
【背景技術】
【０００２】
従来、食品の製造加工に使用する器具や機材等に付着した細菌の検査を行う際等に用いられる拭き取り検査キットとして、希釈液を収容する容器本体と、この容器本体の開口部に着脱可能に装着されるキャップと、このキャップに一体形成され、前記容器内に垂下する軸部と、この軸部の先端に取り付けられた拭き取り部材とを備え、該拭き取り部材で検体の表面を拭き取った後に、容器本体にキャップを被着することにより、拭き取り部材を希釈液に浸漬させるものがあった（例えば、特許文献１参照。）。
【先行技術文献】
【特許文献】
【０００３】
【特許文献１】特開２００３−３４４２３２号公報
【発明の概要】
【発明が解決しようとする課題】
【０００４】
しかし、上述のものでは、検体の表面を拭き取る拭き取り部材が綿球で形成され、吸水力が小さいことから、細菌の拭き取り効率が低く、検査精度が低下していた。また、綿球よりも吸水力のある従来の不織布をシート状にして拭き取り部材を形成しても軸部の先端に拭き取り部材を固定することが難しいことから、検体の拭き取り作業の際に拭き取り部材が捩れたり軸部から抜けたりする虞があり、検体から細菌を確実に拭き取ることができなかった。
【０００５】
そこで本発明は、拭き取り部材の拭き取り能力を向上させると共に、拭き取り部材と軸部との取り付け強度を高め、検査精度の向上を図ることのできる拭き取り検査キットを提供することを目的としている。
【課題を解決するための手段】
【０００６】
上記目的を達成するため、本発明の拭き取り検査キットは、希釈液を収容する容器本体と、該容器本体の上部開口部に着脱可能に装着されるキャップと、該キャップの天井部内面に連設した軸部と、該軸部の先端に取り付けられる拭き取り部材とを備えた拭き取り検査キットにおいて、前記軸部は、下端部に、前記拭き取り部材を保持する一対の脚部を備えたＵ字状のクリップ部が設けられ、前記脚部の対向面には、凸部と切込部とを連続して設けた鋸歯状の保持段部が対向してそれぞれ形成されると共に、前記拭き取り部材は、吸水力を備えたシート状のスポンジクロスを観音折りにして形成され、前記拭き取り部材の観音折りにすることにより形成された２つの輪の内部に前記一対の脚部をそれぞれ挿入し、重ね合わされた前記拭き取り部材の重合片に前記保持段部をそれぞれ係合させて、前記クリップ部に拭き取り部材を取り付けたことを特徴とし、前記スポンジクロスは、セルロースとコットンとを混合して形成すると好適である。
【０００７】
また、前記一対の脚部にそれぞれ対向して形成される一対の保持段部は、前記凸部の位置が、上下方向に異なるように形成されると共に、各保持段部の中央部に軸方向のリブが形成されていても良い。さらに、前記拭き取り部材は、観音折りされる谷折り部に折込み用筋目が形成されると共に、前記リブが係合する係合溝が形成されていると好適である。
【発明の効果】
【０００８】
本発明の拭き取り検査キットによれば、拭き取り部材を吸水性に優れたスポンジクロスで形成することができ、拭き取り部材の拭き取り能力を向上させることができる。また、シート状のスポンジクロスを観音折りにして拭き取り部材を形成すると共に、観音折りにすることにより形成された２つの輪の内部に、クリップ部の脚部を挿入し、重ね合わされた前記拭き取り部材の重合片に、脚部の保持段部をそれぞれ係合させることから、拭き取り部材を軸部に形成したクリップ部に簡単、且つ、確実に取り付けることができ、検査精度の向上を図ることができる。さらに、スポンジクロスをセルロースとコットンとを混合して形成することにより、高い吸水性を確保することができる。
【０００９】
また、一対の脚部にそれぞれ対向して形成される一対の保持段部を、凸部の位置が前記軸部の軸方向に異なるように形成し、さらに、各保持段部の中央部に軸方向のリブを設けたことにより、拭き取り部材をクリップ部で確実に保持し、拭き取り部材が捩れることを防止できる。また、拭き取り部材の、観音折りされる谷折り部に折込み用筋目を形成することにより、スポンジクロスで形成した拭き取り部材を容易に観音折りにすることができる。さらに、拭き取り部材に前記リブが当接する係合溝を形成することにより、確実に拭き取り部材をクリップ部に係合させることができ、また、拭き取り部材をクリップ部に係合させる際に、係合溝が保持段部のリブをガイドし、拭き取り部材を適正な状態でクリップ部に係合させることができる。
【図面の簡単な説明】
【００１０】
【図１】本発明の一形態例を示す拭き取り検査キットの正面図である。
【図２】同じくクリップ部の拡大正面図である。
【図３】同じくクリップ部の拡大底面図である。
【図４】図２のIV-IV断面図である。
【図５】同じくクリップ部の断面平面図である。
【図６】同じく拭き取り検査キットの一部断面正面図である。
【発明を実施するための形態】
【００１１】
図１乃至図６は本発明の拭き取り検査キットの一形態例を示す図で、この拭き取り検査キット１０は、希釈液を収容する容器本体１１と、該容器本体１１の上部開口部１２に着脱可能に装着されるキャップ２１と、該キャップ２１の天井内側面に連設した軸部３１と、該軸部３１の下端部に設けられ、キャップ密栓状態において前記希釈液中に浸漬する拭き取り部材４１とを備えている。
【００１２】
容器本体１１は、高密度ポリエチレン等の圧縮変形可能な軟質材料で有底円筒状に形成され、上部開口部１２にはキャップ２１を螺着させる雄ねじ部が形成され、円筒部１３の外周部上方には、凹部１４，１４が対向して形成されている。
【００１３】
キャップ２１は、容器本体１１の上部開口部１２に螺着される円筒状蓋体２２と、該円筒状蓋体２２の天井部に被着される上蓋２３とを備えた二重蓋構造となっている。円筒状蓋体２２は、内周面に前記容器本体１１の雄ねじ部に螺合する雌ねじ部が形成され、天井部の中心位置には、貫通孔２２ａが形成されている。天井部の外面には、前記貫通孔２２ａに沿って嵌着用リブ２２ｂが形成され、天井部の内面には、前記貫通孔２２ａの周囲に軸部取り付け用の中空連結管２２ｃが突設されている。上蓋２３は、短円筒状に形成され、ヒンジ部を介して円筒状蓋体２２の上端部に回動可能に支持され、天井部内面には、前記嵌着用リブ２２ｂと貫通孔２２ａとに嵌入され、該貫通孔２２ａを閉塞する閉塞部２３ａと、該閉塞部２３ａの周囲を囲繞する短尺の円筒状リブ２３ｂとを備えている。
【００１４】
軸部３１は、基端側に前記中空連結管２２ｃに嵌入される大径軸部３２と、該大径軸部３２に連続する小径軸部３３と、該小径軸部３３の下端部に形成されるクリップ部３４とを一体に備えている。大径軸部３２は、上端面中心部に開口する軸方向の第１連通孔３２ａと、前記大径軸部３２の下端側に形成され、大径軸部３２の外周面と第１連通孔３２ａの下端部とに開口する径方向の第２連通孔３２ｂとを備えている。このように形成した軸部３１は、大径軸部３２を前記中空連結管２２ｃに嵌入することにより、円筒状蓋体２２の天井部内面に取り付けられ、前記第２連通孔３２ｂは、中空連結管２２ｃの下端部よりも下方に配置される。
【００１５】
クリップ部３４は、図２に示されるように、一対の脚部３４ａ，３４ａを備えた下向きのＵ字状に形成され、脚部３４ａ，３４ａの対向面には、一対の保持段部３４ｂ，３４ｂが対向してそれぞれ形成されている。保持段部３４ｂ，３４ｂは、凸部３４ｃと切込部３４ｄとを連続して設けた上向きの鋸歯状に形成され、対向して形成される凸部３４ｃの位置が、上下方向に異なるようにそれぞれ形成され、さらに、保持段部３４ｂ，３４ｂの中央部に軸方向のリブ３４ｅ，３４ｅがそれぞれ形成されている。
【００１６】
拭き取り部材４１は、セルロースとコットンとを混合して形成した吸水性に優れた長方形のシート状のスポンジクロスを観音折りにして形成されるもので、拭き取り部材４１の内面には、観音折りされる３箇所の谷折り部に折込み用筋目４２が形成され、さらに、両側部側の折込み用筋目４２，４２よりも側端側の重合片４１ａ，４１ａには、保持段部３４ｂのリブ３４ｅ，３４ｅが係合する係合溝４３，４３が形成されている。
【００１７】
この拭き取り部材４１をクリップ部３４に取り付ける際には、まず、拭き取り部材４１を折込み用筋目４２，４２，４２に沿って観音折りし、重合片４１ａ，４１ａを重ね合わせて２つの輪４４，４４を形成する。重ね合わされた状態の重合片４１ａ，４１ａに設けられた係合溝４３，４３に、クリップ部３４のリブ３４ｅ，３４ｅを係合させながら、クリップ部３４の各脚部３４ａ，３４ａを前記２つの輪４４，４４にそれぞれ挿入し、クリップ部３４に拭き取り部材４１を装着する。
【００１８】
上述のように形成された拭き取り検査キット１０を用いて、細菌検査を行う手順について説明する。拭き取り検査キット１０は、容器本体１１に予め所定量の希釈液が収容され、上蓋２３を閉じた状態で、キャップ２１の円筒状蓋体２２が容器本体１１の上部開口部１２に螺着されており、クリップ部３４に装着された拭き取り部材４１が希釈液に浸漬された状態となっている。このとき、上蓋２３に設けられた閉塞部２３ａは、円筒状蓋体２２の嵌着用リブ２２ｂと貫通孔２２ａとに嵌入された状態となっており、希釈液が外部に漏れ出すことはない。検査時には、キャップ２１を容器本体１１から外して軸部３１を引き上げ、容器本体１１に形成した凹部１４，１４の位置に拭き取り部材４１を配置させ、指で凹部１４，１４を容器本体内に押圧して拭き取り部材４１を圧迫し、拭き取り部材４１に吸収されていた余分な希釈液を絞る。
【００１９】
希釈液を絞った拭き取り部材４１を、容器本体１１から抜き出し、キャップ２１を持って、拭き取り部材４１で検体の一定面積を拭き取った後、再び、容器本体１１内の希釈液に拭き取り部材４１を浸漬させ、キャップ２１を容器本体１１の上部開口部１２に螺着する。検査内容に応じて拭き取り部材４１を所定時間希釈液に浸漬させた後、キャップ２１の円筒状蓋体２２を容器本体１１の上部開口部１２に螺着させた状態のまま上蓋２３を開き、上蓋２３に設けられた閉塞部２３ａを、円筒状蓋体２２の嵌着用リブ２２ｂと貫通孔２２ａとから外して貫通孔２２ａを開口させ、ペトリ皿の上で容器本体１１を傾け、凹部１４，１４を押圧する。これにより、拭き取った試料と希釈液とが混合した試料液が、軸部３１に形成した第２連通孔３２ｂ及び第１連通孔３２ａと、中空連結管２２ｃと、貫通孔２２ａとを介してペトリ皿に回収され、検査される。
【００２０】
本発明の拭き取り検査キット１０は上述のように、拭き取り部材４１をセルロースとコットンとを混合して形成した吸水性に優れたスポンジクロスで形成することから、拭き取り能力を向上させることができ、検査精度の向上を図ることができる。また、長方形のシート状のスポンジクロスを観音折りにして拭き取り部材４１を形成すると共に、観音折りにすることにより形成された２つの輪４４，４４の内部に、クリップ部３４の脚部３４ａ，３４ａを挿入し、重ね合わされた拭き取り部材４１の重合片４１ａ，４１ａに、脚部３４ａ，３４ａの保持段部３４ｂ，３４ｂをそれぞれ係合させるだけで、拭き取り部材４１をクリップ部３４に簡単、且つ、確実に取り付けることができ、拭き取り作業中に拭き取り部材４１がクリップ部３４から抜ける虞がない。
【００２１】
さらに、一対の脚部３４ａ，３４ａにそれぞれ対向して形成した一対の保持段部３４ｂ，３４ｂを、凸部３４ｃの位置が軸部３１の軸方向に異なるように形成し、各保持段部３４ｂの中央部に軸方向のリブ３４ｅを設けると共に、拭き取り部材４１に係合溝４３を形成することにより、さらに確実に拭き取り部材４１をクリップ部３４に係合させることができ、拭き取り部材が捩れることを防止できる。また、拭き取り部材４１の、観音折りされる谷折り部に折込み用筋目４２，４２，４２を形成することにより、スポンジクロスで形成した拭き取り部材を容易に観音折りにすることができる。さらに、拭き取り部材４１をクリップ部３４に係合させる際に、係合溝４３が保持段部３４ｂのリブ３４ｅをガイドし、拭き取り部材４１を適正な状態でクリップ部３４に係合させることができる。
【００２２】
尚、本発明の拭き取り検査キットは、上述の形態例に限るものではなく、キャップの構造や容器本体の形状や構造や任意である。また、一対の保持段部は、凸部の高さ位置が一致していても良く、保持段部の中央部にリブを備えていないものでも差し支えない。また、拭き取り部材に折込み用筋目や係合溝を備えていなくても良い。
【符号の説明】
【００２３】
１０…拭き取り検査キット、１１…容器本体、１２…上部開口部、１３…円筒部、１４…凹部、２１…キャップ、２２…円筒状蓋体、２２ａ…貫通孔、２２ｂ…嵌着用リブ、２２ｃ…中空連結管、２３…上蓋、２３ａ…閉塞部、２３ｂ…円筒状リブ、３１…軸部、３２…大径軸部、３２ａ…第１連通孔、３２ｂ…第２連通孔、３３…小径軸部、３４…クリップ部、３４ａ…脚部、３４ｂ…保持段部、３４ｃ…凸部、３４ｄ…切込部、３４ｅ…リブ、４１…拭き取り部材、４１ａ…重合片、４２…折込み用筋目、４３…係合溝、４４…輪
【図１】
2011214960.tif 000003
【図２】
2011214960.tif 000004
【図３】
2011214960.tif 000005
【図４】
2011214960.tif 000006
【図５】
2011214960.tif 000007
【図６】
2011214960.tif 000008